(57)【特許請求の範囲】
【請求項１】
圧縮機と、該圧縮機に取り付けられ、取り出せる最高圧が定められた第１の高圧減圧弁と、第１及び第２の打込機に接続される継手変換器と、前記該第１の高圧減圧弁から取り出された圧縮空気を、直接又は補助エアタンクを介して前記継手変換器に接続する１本の高圧エアホースとよりなるシステムにおける継手変換器であって、
前記１本の高圧エアホースより供給される圧縮空気を取り込むための第１の高圧流体継手と、該第１の高圧流体継手を介して取り込んだ圧縮空気の圧力を調整する第２の高圧減圧弁と、前記第１の高圧流体継手を介して取り込んだ圧縮空気の圧力を調整する減圧弁であって、前記第２の高圧減圧弁から取り出される圧縮空気より低圧の圧縮空気を取り出すための第１の低圧減圧弁と、前記第２の高圧減圧弁から取り出される圧縮空気を直接第１の高圧打込機に接続するための第２の高圧流体継手と、前記第１の低圧減圧弁から取り出される圧縮空気を直接第２の低圧打込機に接続するための流体継手であって、前記第２の高圧流体継手とは互換性のない第３の低圧流体継手を備え、前記１本の高圧エアホースにより第１の高圧打込機及び第２の低圧打込機のいずれにも圧縮空気を供給できるようにしたことを特徴とする継手変換器。
【発明の詳細な説明】
【０００１】
【発明の属する技術分野】
本発明は空気釘打機等の打込機に圧縮空気を供給するエアホースの継手を改良した圧縮機の継手変換器に関するものである。
【０００２】
【従来の技術】
圧縮機のシステムには、特開平４−２９８６９１号で周知のように、圧力が異なる複数の配管を誤って接続しないように、それぞれ互換性がないソケット、プラグを備えた補助用空気タンク１０や圧縮機１が知られている。
【０００３】
図５に示すように、圧縮機１は高圧（例えば約１０〜３０Ｋｇｆ／ｃｍ2）まで昇圧でき、圧縮機１または補助用空気タンク１０に取り付けられている一方の減圧弁８は取り出し空気圧が低圧（例えば約７〜１０Ｋｇｆ／ｃｍ2）までで、他方の減圧弁３は取り出し空気圧が高圧まで取り出せるように構成されている。以下減圧弁３、８をそれぞれ高圧減圧弁３、低圧減圧弁８という。
【０００４】
低圧減圧弁８は、一般的に使用されている低圧ソケット４が取り付けられており、高圧減圧弁３には、低圧ソケット４と互換性がない高圧ソケット５が取り付けられている。
【０００５】
エアホースは、一般的に使用されている低圧ソケット４および低圧プラグ９を両端に取り付けた低圧エアホース１２と、低圧ソケット４、低圧プラグ９と互換性がない高圧ソケット５と高圧プラグ７を両端に取り付けた高圧エアホース６とがある。
【０００６】
２つ以上の互換性がないソケット４、５を具備する圧縮機１または補助用空気タンク１０としたので、各々の配管を誤って接続してしまい、低圧エアホース１２が破裂したり、低圧打込機１１のシール部から空気漏れしたり、破損したりする危険性を無くすようにしている。
【０００７】
【発明が解決しようとする課題】
上記した構成によると、圧縮機１と打込機１１、２１間はそれぞれ専用のエアホース６、１２を介して接続されている。そのため、作業現場に打込機１１、２１の使用圧力に合った２種類以上の配管をしなければならなかった。また作業現場に２種類以上のエアホース６、１２が混在し、低圧打込機１１、高圧打込機２１の使用空気圧に合わせたエアホース６、１２を使用しなければならなかった。また作業者は２種類以上のエアホース６、１２を所持しなければならず、費用がかかるという問題があった。
【０００８】
本発明の目的は、上記した従来技術の欠点をなくし、圧縮機から打込機まで、または、補助用空気タンクから打込機までの配管を1本にして、使用圧力の違いによる多数のエアホースを配管、接続する煩雑さを解消すると共に費用を低減することである。
【０００９】
【課題を解決するための手段】
上記目的は、圧縮機と、該圧縮機に取り付けられ、取り出せる最高圧が定められた第１の高圧減圧弁と、第１及び第２の打込機に接続される継手変換器と、前記該第１の高圧減圧弁から取り出された圧縮空気を、直接又は補助エアタンクを介して前記継手変換器に接続する１本の高圧エアホースとよりなるシステムにおける継手変換器であって、前記１本の高圧エアホースより供給される圧縮空気を取り込むための第１の高圧流体継手と、該第１の高圧流体継手を介して取り込んだ圧縮空気の圧力を調整する第２の高圧減圧弁と、前記第１の高圧流体継手を介して取り込んだ圧縮空気の圧力を調整する減圧弁であって、前記第２の高圧減圧弁から取り出される圧縮空気より低圧の圧縮空気を取り出すための第１の低圧減圧弁と、前記第２の高圧減圧弁から取り出される圧縮空気を直接第１の高圧打込機に接続するための第２の高圧流体継手と、前記第１の低圧減圧弁から取り出される圧縮空気を直接第２の低圧打込機に接続するための流体継手であって、前記第２の高圧流体継手とは互換性のない第３の低圧流体継手を備え、前記１本の高圧エアホースにより第１の高圧打込機及び第２の低圧打込機のいずれにも圧縮空気を供給できるようにしたことにより達成される。
【００１０】
【発明の実施の形態】
本発明継手変換器２と周辺機器との関係の一実施形態を示す図１を用いて説明する。
【００１１】
圧縮機１は、高圧まで昇圧でき、圧縮機１には最高圧が高圧まで取り出せる高圧減圧弁３が取り付けられている。継手変換器２には、高圧エアホース６を介して圧縮機１に接続される高圧プラグ７、高圧減圧弁３０を介した高圧ソケット５、低圧減圧弁８０を介した低圧ソケット４が設けられている。高圧エアホース６の圧縮機１および打込機側にはそれぞれ高圧プラグ７および高圧ソケット５が取り付けられている。
【００１２】
高圧打込機２１を使用する場合には、高圧打込機２１側に流出するための高圧減圧弁３０を介した高圧ソケット５を高圧打込機２１のプラグ７に接続して使用する。低圧打込機１１を使用する場合には、低圧打込機１１側に流出するための低圧減圧弁８０を介した低圧ソケット４を低圧打込機１１のプラグ９に接続して使用する。
【００１３】
図２は本発明の他の実施形態を示す。継手変換器２Ａには、上記変換器２同様、高圧プラグ７、高圧ソケット５、低圧ソケット４および低圧減圧弁８０が設けられ、高圧ソケット５は減圧弁を介することなく直接高圧プラグ７に接続されている。
【００１４】
高圧打込機２１を使用する場合には高圧ソケット５を高圧打込機２１のプラグ７に接続して使用する。低圧打込機１１を使用する場合には、低圧ソケット４を低圧打込機１１のプラグ９に接続して使用する。
【００１５】
図３は本発明の更に他の実施形態を示す。継手変換器２Ｂには、高圧プラグ７、低圧ソケット４および低圧減圧弁８０が設けられている。
【００１６】
高圧打込機２１を使用する場合には、継手変換器２Ｂを取り外し、高圧エアホース６先端の高圧ソケット５を高圧打込機２１のプラグ７に接続して使用する。低圧打込機１１を使用する場合には、高圧エアホース６先端の高圧ソケット５を継手変換器２Ｂの高圧プラグ７に接続すると共に低圧減圧弁８０を介した低圧ソケット４を低圧打込機１１のプラグ９に接続して使用する。
【００１７】
図４の実施形態は図１の実施形態の圧縮機１と打込機１１、２１の間に補助エアタンク１０を設けたものである。
【００１８】
上記したいずれの実施形態においてもエアホースは高圧エアホース６だけでよく、従来のように低圧エアホース１２を準備・使用する必要がないので、エアホースの誤用に起因するエアホースの破裂等の恐れがなくなる。
【００１９】
なお上記した実施形態においては、継手変換器２、２Ａ、２Ｂを低圧打込機１１、高圧打込機２１に直接接続するとしたが、この間に高圧エアホース６、低圧エアホース１２をつないでもよいことは明らかである。
【００２０】
【発明の効果】
以上のように本発明によれば、エアホースは高圧エアホースのみを必要とし、低圧エアホースは必要としないので、エアホースの誤用という恐れがなくなり、エアホースが破裂することを未然に阻止することが可能となる。また使用圧力の違いによる多数のエアホースを配管、接続する煩雑さを解消できると共に作業者の費用を低減することができる。
【図面の簡単な説明】
【図１】本発明の一実施形態であって継手変換器と周辺機器の関係を示す斜視図。
【図２】本発明の他の実施形態であって継手変換器と周辺機器の関係を示す斜視図。
【図３】本発明の他の実施形態であって継手変換器と周辺機器の関係を示す斜視図。
【図４】本発明の他の実施形態であって継手変換器と周辺機器の関係を示す斜視図。
【図５】従来の圧縮機と周辺機器の関係の一例を示す斜視図。
【符号の説明】
１は圧縮機、２、２Ａ、２Ｂは継手変換器、３、３０は高圧減圧弁、４は低圧ソケット、５は高圧ソケット、６は高圧エアホース、７は高圧プラグ、８、８０は低圧減圧弁、９は低圧プラグ、１１は低圧打込機、１２は低圧エアホース、２１は高圧打込機である。
【図１】
0003931324.tif 000002
【図２】
0003931324.tif 000003
【図３】
0003931324.tif 000004
【図４】
0003931324.tif 000005
【図５】
0003931324.tif 000006